(57)【要約】【課題】既存の乗りかごを改造することなく、乗りかごの天井付近に簡単に人数検知装置を設置できる取り付け構造を得ることにある。【解決手段】エレベータは、起立したかご室内面と天井の縁部との間の隙間に臨む天井外周部を有する乗りかごを備えている。乗りかごの天井付近に人数検知装置を設置するに当たり、少なくとも一つのホルダーが人数検知装置に取り付けられている。ホルダーは、天井の下から乗りかごの隙間に挿入可能な係合部を含み、当該係合部を隙間から天井外周部に引っ掛けることで人数検知装置を天井に固定するように構成されている。【選択図】図４
2014076874.tif 000002
【特許請求の範囲】
【請求項１】
起立したかご室内面と天井の縁部との間の隙間に臨む天井外周部を有する乗りかごを具備し、当該乗りかごの天井付近に、前記乗りかごに乗り降りする利用者の人数を検知する人数検知装置を設置したエレベータであって、
前記人数検知装置が取り付けられた少なくとも一つのホルダーを備え、当該ホルダーは、前記天井の下から前記乗りかごの前記隙間に挿入可能な係合部を含み、当該係合部を前記隙間から前記天井外周部に引っ掛けることで前記人数検知装置を前記天井に固定するように構成されたエレベータの人数検知装置取り付け構造。
【請求項２】
請求項１に記載の取り付け構造において、前記ホルダーは、前記係合部に移動可能に連結された可動部材を有し、当該可動部材は、前記天井の前記縁部に当接することで前記係合部と協働して前記天井外周部を挟み込むとともに、前記人数検知装置が前記可動部材に取り付けられたエレベータの人数検知装置取り付け構造。
【請求項３】
請求項２に記載の取り付け構造において、前記天井外周部は、前記乗りかごの上方に向けて前記かご室内面から離れるように傾斜されているとともに、前記係合部は、前記天井外周部に沿うように傾斜された係合面を有するエレベータの人数検知装置取り付け構造。
【請求項４】
請求項２又は請求項３に記載の取り付け構造において、前記係合部に前記天井外周部に当接する滑り止め部材が設けられ、前記可動部材に前記天井の前記縁部に当接する滑り止め部材が設けられたエレベータの人数検知装置取り付け構造。
【請求項５】
請求項１ないし請求項４のいずれか一項に記載の取り付け構造において、前記人数検知装置は、前記乗りかごの内部を撮影するカメラと、前記カメラが撮影した画像データを基に前記乗りかごに乗り降りする利用者の人数に関する情報を得る画像処理装置と、前記カメラおよび前記画像処理装置に電力を供給するバッテリと、を含み、前記カメラ、前記画像処理装置および前記バッテリがケース内に一体的に収容されているとともに、前記ケースが前記ホルダーに取り付けられたエレベータの人数検知装置取り付け構造。
【請求項６】
請求項５に記載の取り付け構造において、前記人数検知装置は、前記情報処理装置から出力された利用者の人数に関する情報を前記乗りかごの外のエレベータ制御部へ送信する無線通信装置をさらに備えたエレベータの人数検知装置取り付け構造。
【請求項７】
起立したかご室内面と天井の縁部との間の隙間に臨む天井外周部を有する乗りかごを具備し、当該乗りかごの天井付近に、前記乗りかごに乗り降りする利用者の人数を検知する人数検知装置を設置したエレベータであって、
前記天井と前記人数検知装置との間に介在された少なくとも一つのホルダーを備え、当該ホルダーは、前記天井の下から前記乗りかごの前記隙間に挿入可能な第１の支持部と、前記天井の前記縁部と向かい合うとともに前記人数検知装置が取り付けられた第２の支持部と、前記第１の支持部に設けられ、磁力により前記天井外周部に密着する第１の永久磁石と、前記第２の支持部に設けられ、磁力により前記天井面に密着する第２の永久磁石と、を含むエレベータの人数検知装置取り付け構造。
【請求項８】
請求項７に記載の取り付け構造において、前記天井外周部が前記かご室内面に沿うように起立されたエレベータの人数検知装置取り付け構造。
【請求項９】
請求項７又は請求項８に記載の取り付け構造において、前記人数検知装置は、前記乗りかごの内部を撮影するカメラと、前記カメラが撮影した画像データを基に前記乗りかごに乗り降りする利用者の人数に関する情報を得る画像処理装置と、前記カメラおよび前記画像処理装置に電力を供給するバッテリと、を含み、前記カメラ、前記画像処理装置および前記バッテリがケース内に一体的に収容されているとともに、前記ケースが前記ホルダーの前記第２の支持部に取り付けられたエレベータの人数検知装置取り付け構造。
【請求項１０】
乗りかごの天井付近に、前記乗りかごに乗り降りする利用者の人数を検知する人数検知装置を設置したエレベータであって、
前記人数検知装置が前記人数検知装置の上面と前記天井との間に介在された接合部材を介して前記天井に直付けされたエレベータの人数検知装置取り付け構造。
【請求項１１】
請求項１０に記載の取り付け構造において、前記接合部材は、前記人数検知装置の上面に取り付けられた少なくとも一つの吸盤であるエレベータの人数検知装置取り付け構造。
【請求項１２】
請求項１０又は請求項１１に記載の取り付け構造において、前記人数検知装置は、前記乗りかごの内部を撮影するカメラと、前記カメラが撮影した画像データを基に前記乗りかごに乗り降りする利用者の人数に関する情報を得る画像処理装置と、前記カメラおよび前記画像処理装置に電力を供給するバッテリと、を含み、前記カメラ、前記画像処理装置および前記バッテリがケース内に一体的に収容されているとともに、前記吸盤が前記ケースに取り付けられたエレベータの人数検知装置取り付け構造。
【発明の詳細な説明】
【技術分野】
【０００１】
本発明の実施形態は、エレベータの乗りかごの天井付近に、乗りかごに乗り降りする利用者の人数を検知する装置を取り付けるための構造に関する。
【背景技術】
【０００２】
エレベータのリニューアルの一環として、乗りかごの天井付近に乗りかごに乗り降りする利用者の人数を検知する人数検知装置を設けることがある。人数検知装置は、乗りかごの内部を撮影するカメラと、前記カメラが撮影した画像データを基に乗りかごに乗り降りする利用者の人数に関する情報を得る画像処理装置と、を備えている。
【０００３】
カメラおよび画像処理装置は、互いに一体化されて乗りかごの天井又は側壁の上部に設置されている。カメラおよび画像処理装置に接続された各種のケーブル類は、天井に開けた孔又は開口部から乗りかごの外に導かれているとともに、例えば昇降路に設置されたエレベータ制御部に電気的に接続されている。
【先行技術文献】
【特許文献】
【０００４】
【特許文献１】特開２００８−１００７８２号公報
【発明の概要】
【発明が解決しようとする課題】
【０００５】
人数検知装置を乗りかごの天井付近に設置するには、既存の乗りかごを人数検知装置が組み込まれた新規な乗りかごと交換する必要があり、エレベータの改修工事が大掛かりなものとなる。
【０００６】
一方、既存の乗りかごの天井又は側壁を利用して人数検知装置を設置する場合、天井又は側壁に格別な後加工を施さねばならず、乗りかごの改造が必須となる。さらに、既存の天井又は側壁に各種のケーブル類を通す孔を開けたり、ケーブルを配線するといった面倒な作業を余儀なくされ、人数検知装置を設置する作業に多大な手間と労力を要するのを否めない。
【０００７】
本発明の目的は、既存の乗りかごを改造することなく、乗りかごの天井付近に簡単に人数検知装置を設置できる取り付け構造を得ることにある。
【課題を解決するための手段】
【０００８】
実施形態によれば、エレベータは、起立したかご室内面と天井の縁部との間の隙間に臨む天井外周部を有する乗りかごを備えている。当該乗りかごの天井付近に人数検知装置を設置するに当たり、少なくとも一つのホルダーが人数検知装置に取り付けられている。ホルダーは、天井の下から乗りかごの隙間に挿入可能な係合部を含み、当該係合部を隙間から天井外周部に引っ掛けることで人数検知装置を天井に固定するように構成されている。
【図面の簡単な説明】
【０００９】
【図１】人数検知装置が設置された第１の実施形態に係るエレベータの乗りかごを示す斜視図。
【図２】第１の実施形態に係る乗りかごのかご室を示す斜視図。
【図３】人数検知装置が設置された第１の実施形態に係るエレベータの乗りかごを示す断面図。
【図４】第１の実施形態において、乗りかごの天井付近に人数検知装置を設置した状態を示す断面図。
【図５】第１の実施形態において、乗りかごの天井付近に人数検知装置を設置した状態を図４の矢印Ｆ５の方向から見た断面図。
【図６】第１の実施形態において、人数検知装置がホルダーを介して乗りかごの天井付近に設置された状態を示す斜視図。
【図７】第１の実施形態で用いるホルダーの構造を一部断面で示す側面図。
【図８】第１の実施形態に係る人数検知装置の主要な要素を概略的に示すブロック図。
【図９】第２の実施形態において、乗りかごの天井付近に人数検知装置を設置した状態を示す断面図。
【図１０】第２の実施形態で用いるホルダーの斜視図。
【図１１】第３の実施形態において、人数検知装置を乗りかごの天井に設置する状態を示す断面図。
【図１２】第３の実施形態で用いる吸盤の斜視図。
【発明を実施するための形態】
【００１０】
［第１の実施形態］
以下、第１の実施形態について、図１ないし図８を参照して説明する。
【００１１】
図１および図３は、既存のエレベータの乗りかご１に人数検知装置２を据え付けた状態を示している。乗りかご１は、床板３、前壁４、一対の側壁５ａ，５ｂ、後壁６および天板７を有している。床板３、前壁４、一対の側壁５ａ，５ｂ、後壁６および天板７は、互いに協働して四角いかご室８を構成している。前壁４の内面、側壁５ａ，５ｂの内面および後壁６の内面は、床板３の周縁から起立されてかご室８の内部に露出されている。
【００１２】
前壁４にエレベータを利用する利用者Ｐが乗り降りする乗降口９が形成されている。乗降口９は、ドア装置１０によって開閉される。
【００１３】
図１ないし図４に示すように、照明器具１１が乗りかご１の天板７に取り付けられている。照明器具１１は、器具本体１２および光源１３を有している。器具本体１２は、例えば偏平な四角い箱形であり、天板７からかご室８の内部に張り出している。光源１３は、器具本体１２に収容されている。光源１３としては、例えば発光ダイオード、けい光ランプ、エレクトロルミネッセンスあるいは白熱電球等を用いることができる。
【００１４】
器具本体１２は、四角い天井パネル１４と、第１ないし第４のサイドパネル１５ａ，１５ｂ，１５ｃ，１５ｄとを備えている。天井パネル１４は、乗りかご１の天井を構成するようにかご室８の上端に水平に配置されている。天井パネル１４の中央部に照明用の開口部１６が形成されている。開口部１６は、光透過性を有するセード１７で覆われている。このため、光源１３が発する光は、セード１７を通じてかご室８に照射される。
【００１５】
第１のサイドパネル１５ａは、天井パネル１４の前縁部から起立されて前壁４の上端部と向かい合っている。第２のサイドパネル１５ｂは、天井パネル１４の一方の側縁部から起立されて一方の側壁５ａの上端部と向かい合っている。第３のサイドパネル１５ｃは、天井パネル１４の他方の側縁部から起立されて他方の側壁５ｂの上端部と向かい合っている。第４のサイドパネル１５ｄは、天井パネル１４の後縁部から起立されて後壁６の上端部と向かい合っている。このため、天井パネル１４の周縁部とかご室８の上端部の内面との間に、かご室８の周方向に連続する隙間Ｇが形成されている。
【００１６】
さらに、器具本体１２の第１ないし第４のサイドパネル１５ａ〜１５ｄは、天井パネル１４を取り囲む天井外周部１８を構成している。天井外周部１８は、隙間Ｇに臨むようにかご室８の内部に露出されている。
【００１７】
図１および図４に示すように、天井外周部１８を構成する第２のサイドパネル１５ｂおよび第３のサイドパネル１５ｃは、乗りかご１の幅方向に互いに離れているとともに、乗りかご１の上方に向けて側壁５ａ，５ｂの内面から離れるように傾斜されている。
【００１８】
人数検知装置２は、乗りかご１に乗り降りする利用者Ｐの人数を検知するための要素である。本実施形態の人数検知装置２は、図８に示すように、例えばカメラ２０、画像処理装置２１、記録装置２２、無線通信装置２３およびバッテリ２４を備えている。
【００１９】
図３に示すように、カメラ２０は、かご室８に乗り込んだ利用者Ｐを捉えることができるように、天井パネル１４の後部付近からかご室８の内部を隈なく撮影する。カメラ２０としては、二つのレンズ２０ａ，２０ｂを乗りかご１の幅方向に配列したステレオカメラを用いることが望ましい。
【００２０】
画像処理装置２１は、カメラ２０が撮影した画像データに基づいて乗りかご１に乗り降りする利用者Ｐの人数に関する情報を計測する。記録装置２２は、画像処理装置２１から出力される利用者Ｐの人数に関する情報を記録する。無線通信装置２３は、画像処理装置２１から出力される利用者Ｐの人数に関する情報を、例えば昇降路に設置されたエレベータ制御部２５に送信する。
【００２１】
バッテリ２４は、乗りかご１の外部の電源に接続することで充電が可能である。バッテリ２４は、カメラ２０、画像処理装置２１、記録装置２２および無線通信装置２３に電力を供給する。
【００２２】
本実施形態によると、カメラ２０、画像処理装置２１、記録装置２２、無線通信装置２３およびバッテリ２４は、ケース２６に収容されているとともに、当該ケース２６内で電気的に接続されている。したがって、人数検知装置２は、一つのモジュールとしてユニット化されている。
【００２３】
ケース２６は、乗りかご１の幅方向に延びる偏平な箱形であり、フラットなトップカバー２６ａを有している。カメラ２０は、例えば乗りかご１の幅方向に沿う中心線Ｃ１の上に位置するようにケース２６内に収容されているとともに、レンズ２０ａ，２０ｂがケース２６の前面から露出されている。
【００２４】
このような人数検知装置２は、一対のホルダー２８ａ，２８ｂを介して照明器具１１の器具本体１２に支持されている。ホルダー２８ａ，２８ｂは、互いに共通の構成を有するため、一方のホルダー２８ａを代表して説明する。
【００２５】
図４ないし図７に示すように、ホルダー２８ａは、係合部２９および可動部材３０を備えている。係合部２９は、天井パネル１４の下方から側壁５ａの内面と第２のサイドパネル１５ｂとの間の隙間Ｇに差し込まれる要素であって、乗りかご１の幅方向に沿う第１の寸法Ｄ１と、乗りかご１の奥行き方向に沿う第２の寸法Ｄ２とを有している。係合部２９の第１の寸法Ｄ１は、隙間Ｇの寸法Ｄ３よりも大きく、第２の寸法Ｄ２は、隙間Ｇの寸法Ｄ３よりも小さい。
【００２６】
さらに、係合部２９は、係合面３１と、一対の脚部３２ａ，３２ｂとを有している。係合面３１は、器具本体１２の第２のサイドパネル１５ｂに沿うように傾斜されているとともに、ゴム板３３で覆われている。ゴム板３３は、第２のサイドパネル１５ｂに弾性的に突き当たる滑り止め部材の一例であって、係合面３１に接着等の手段により固定されている。
【００２７】
脚部３２ａ，３２ｂは、係合部２９から下向きに突出されている。脚部３２ａ，３２ｂは、係合部２９の第２の寸法Ｄ２の方向に互いに間隔を存して並んでいるとともに、夫々ガイド孔３４を有している。ガイド孔３４は、乗りかご１の高さ方向に沿う長孔であり、係合面３１よりも低い位置で互いに向かい合っている。
【００２８】
可動部材３０は、天井パネル１４の周縁部に下方から接する要素であって、細長い板状に形成されている。可動部材３０の一端部３０ａは、脚部３２ａ，３２ｂの間に介在されているとともに、連結ボルト３５およびナット３６を介して脚部３２ａ，３２ｂに支持されている。
【００２９】
連結ボルト３５は、可動部材３０の一端部３０ａを貫通するように脚部３２ａ，３２ｂのガイド孔３４の間に跨っている。ナット３６は、連結ボルト３５の先端にねじ込まれている。ナット３６を締め付けると、可動部材３０の一端部３０ａが脚部３２ａ，３２ｂの間で挟持されて、係合部２９に対する可動部材３０の自由な回動が制限される。
【００３０】
ナット３６を緩めた状態では、図７に矢印で示すように、連結ボルト３５を支点として可動部材３０を回動させることができる。さらに、可動部材３０をガイド孔３４に沿って乗りかご１の高さ方向に移動させることができる。したがって、係合部２９と可動部材３０との間の間隔を自由に調節することが可能となる。
【００３１】
可動部材３０は、上面３８および下面３９を有している。可動部材３０の上面３８は、係合面３１よりも下方に位置されているとともに、ゴム板４０で覆われている。ゴム板４０は、天井パネル１４に弾性的に突き当たる滑り止め部材の一例であって、上面３８に接着等の手段により固定されている。
【００３２】
図４に示すように、可動部材３０の下面３９にトップカバー２６ａの長手方向に沿う一端部が突き当てられている。トップカバー２６ａは、固定ボルト４１を介して可動部材３０に固定されている。固定ボルト４１は、トップカバー２６ａを貫通して可動部材３０の下面３９に開口されたねじ孔４２にねじ込まれている。
【００３３】
次に、乗りかご１の天井を構成する照明器具１１の天井パネル１４に人数検知装置２を設置する手順について説明する。
【００３４】
最初に、一方のホルダー２８ａの係合部２９を天井パネル１４の下方から第２のサイドパネル１５ｂと側壁５ａとの間の隙間Ｇに差し込む。この際、係合部２９の第２の寸法Ｄ２は、隙間Ｇの寸法Ｄ３よりも小さいので、係合部２９の第２の寸法Ｄ２の方向が乗りかご１の幅方向に沿うように係合部２９の向きを定めることで、係合部２９を隙間Ｇに差し込むことができる。
【００３５】
係合部２９を隙間Ｇに差し込んだ状態で係合部２９を９０度回動させると、係合面３１を覆うゴム板３３が第２のサイドパネル１５ｂの上に進出する。したがって、係合部２９のゴム板３３を第２のサイドパネル１５ｂに引っ掛けることができる。
【００３６】
この後、係合部２９に支持された可動部材３０を、連結ボルト３５を支点として回動させたり、あるいはガイド孔３４に沿って移動させることで、可動部材３０のゴム板４０を天井パネル１４に突き当てる。ゴム板４０が天井パネル１４に突き当たったら、ナット３６を締め込んで可動部材３０の自由な回動および移動を制限する。
【００３７】
この結果、係合部２９および可動部材３０が互いに協働して器具本体１２の天井外周部１８を挟み込み、一方のホルダー２８ａが器具本体１２に固定される。
【００３８】
この後、他方のホルダー２８ｂを天井パネル１４の下方から第３のサイドパネル１５ｃと他方の側壁５ｂとの間の隙間Ｇに差し込み、一方のホルダー２８ａと同様の手順で他方のホルダー２８ｂを器具本体１２に固定する。
【００３９】
引き続いて、人数検知装置２のケース２６のトップカバー２６ａを、器具本体１２に固定されたホルダー２８ａ，２８ｂの可動部材３０の間に跨るように突き当てる。この状態で、トップカバー２６ａの長手方向に沿う一端部をホルダー２８ａの可動部材３０に固定ボルト４１で固定する。同様に、ケース２６の長手方向に沿う他端部をホルダー２８ｂの可動部材３０に固定ボルト４１で固定する。
【００４０】
これにより、人数検知装置２が乗りかご１の幅方向に沿うような姿勢で天井パネル１４の後部に設置される。
【００４１】
天井パネル１４に設置された人数検知装置２の電源スイッチが投入されると、カメラ２０が動作を開始する。カメラ２０は、かご室８の後部の天井付近からかご室８の内部の様子を撮影する。カメラ２０で撮影された画像データは、画像処理装置２１に送られる。画像処理装置２１は、画像データを基に乗りかご１に乗り込んだ利用者Ｐの人数を計測する。
【００４２】
さらに、画像処理装置２１は、利用者Ｐの人数に関する情報を出力する。人数に関する情報は、記録装置２２に記録される。記録装置２２に記録された情報は、例えばエレベータの利用状況を調査するための情報あるいはエレベータの運行パターンを決定する上での情報として利用される。
【００４３】
さらに、本実施形態によると、人数に関する情報は、無線通信装置２３を介してエレベータ制御部２５に送信される。エレベータ制御部２５は、利用者Ｐの人数に関する情報に基づいて、例えばエレベータの運行パターンを変更する指令をエレベータの巻上機に出力する。
【００４４】
第１の実施形態によると、人数検知装置２は、一対のホルダー２８ａ，２８ｂを介して乗りかご１の天井付近に保持されている。ホルダー２８ａ，２８ｂは、かご室８の内部を照らす照明器具１１の天井外周部１８を挟み込むことで、人数検知装置２を乗りかご１の天井付近に保持している。
【００４５】
このため、乗りかご１に人数検知装置２を設置するに当たって、既存の乗りかご１を新規な乗りかごと交換する必要はない。それとともに、既存の乗りかご１を利用して人数検知装置２を設置する場合でも、乗りかご１の側壁５ａ，５ｂ又は天板７に人数検知装置２を取り付けるための孔を開けるといった格別な後加工を施す必要はない。
【００４６】
さらに、第１の実施形態の人数検知装置２は、カメラ２０、画像処理装置２１、記録装置２２および無線通信装置２３の動作用電源となるバッテリ２４を内蔵し、人数検知装置２が単独で利用者Ｐの人数に関する情報を取得できるように一つのモジュールとしてユニット化されている。そのため、かご室８の内部に外部電源に接続された電源ケーブルを引き込む必要はなく、面倒な配線作業を省略できる。加えて、ケーブルを通す孔や開口部を乗りかご１から排除することができ、乗りかご１の改造が不要となる。
【００４７】
よって、人数検知装置２を既存の乗りかご１の天井付近に簡単に設置することが可能となる。
【００４８】
第１の実施形態によると、ホルダー２８ａ，２８ｂの係合部２９と可動部材３０との間で器具本体１２の天井外周部１８を挟み込んだ状態では、係合部２９のゴム板３３が第２のサイドパネル１５ｂおよび第３のサイドパネル１５ｃに弾性的に接触し、可動部材３０のゴム板４０が天井パネル１４に弾性的に接触する。
【００４９】
このため、係合部２９と第２のサイドパネル１５ｂおよび第３のサイドパネル１５ｃとの間でスリップが生じ難くなるとともに、可動部材３０と天井パネル１４との間でスリップが生じ難くなる。よって、ホルダー２８ａ，２８ｂが器具本体１２に対してずれたり、傾くのを防止でき、人数検知装置２を器具本体１２の適正な位置に精度よく設置することができる。
【００５０】
それとともに、ゴム板３３，４０の存在により、器具本体１２の損傷あるいは汚れを防止することができ、照明器具１１の外観に悪影響を及ぼすことはない。
【００５１】
［第２の実施形態］
図９および図１０は、第２の実施形態を開示している。
【００５２】
第２の実施形態は、人数検知装置２を照明器具１１の器具本体１２に保持するための構成が第１の実施形態と相違している。それ以外の構成は、基本的に第１の実施形態と同様である。そのため、第２の実施形態において、第１の実施形態と同一の構成部分には同一の参照符号を付して、その説明を省略する。
【００５３】
図９に示すように、器具本体１２の第２のサイドパネル１５ｂおよび第３のサイドパネル１５ｃは、天井パネル１４の側縁から側壁５ａ，５ｂの内面に沿うように起立されている。そのため、第２のサイドパネル１５ｂと側壁５ａとの間の隙間Ｇの寸法Ｄ３および第３のサイドパネル１５ｃと側壁５ｂとの間の隙間Ｇの寸法Ｄ３は、乗りかご１の高さ方向に沿って一定に保たれている。さらに、本実施形態では、器具本体１２は、例えば鉄板のような磁性体で構成されている。
【００５４】
人数検知装置２は、ケース２６の長手方向に沿う両端部がホルダー５１ａ，５１ｂを介して器具本体１２に保持されている。ホルダー５１ａ，５１ｂは、互いに共通の構成を有するので、一方のホルダー５１ａを代表して説明する。
【００５５】
図１０に示すように、ホルダー５１ａは、第１の支持部５２および第２の支持部５３を有している。第１の支持部５２は、側壁５ａの内面と第２のサイドパネル１５ｂとの間の隙間Ｇに挿入される要素であって、乗りかご１の高さ方向に延びる板状に形成されている。第１の支持部５２は、第２のサイドパネル１５ｂと向かい合う吸着面５２ａを有している。
【００５６】
第２の支持部５３は、天井パネル１４の周縁部に下方から向かい合う要素であって、乗りかご１の幅方向に延びる板状に形成されている。言い換えると、第２の支持部５３は、第１の支持部５２と直交するように第１の支持部５２の下端に一体に形成されており、天井パネル１４と向かい合う吸着面５３ａを有している。
【００５７】
図９および図１０に示すように、第１の支持部５２の吸着面５２ａおよび第２の支持部５３の吸着面５３ａに夫々複数の永久磁石５４が接着等の手段により固定されている。永久磁石５４は、例えばフラットな四角い板状であり、吸着面５２ａ，５３ａの上に平面的に並べられている。
【００５８】
さらに、人数検知装置２のケース２６は、そのトップカバー２６ａの長手方向に沿う両端部が第２の支持部５３の下面に固定ボルト４１を介して固定されている。そのため、ホルダー５１ａ，５１ｂをケース２６のトップカバー２６ａに固定した状態では、ホルダー５１ａ，５１ｂの第１の支持部５２が乗りかご１の幅方向に間隔を存して向かい合っている。
【００５９】
ホルダー５１ａ，５１ｂが固定された人数検知装置２を器具本体１２の天井パネル１４に向けて押し上げると、一方のホルダー５１ａの第１の支持部５２が第２のサイドパネル１５ｂと側壁５ａとの間の隙間Ｇに差し込まれて、第１の支持部５２の吸着面５２ａが第２のサイドパネル１５ｂと向かい合う。それとともに、第２の支持部５３の吸着面５３ａが天井パネル１４の周縁部と向かい合う。
【００６０】
同様に、他方のホルダー５１ｂの第１の支持部５２が第３のサイドパネル１５ｃと側壁５ｂとの間の隙間Ｇに差し込まれて、第１の支持部５２の吸着面５２ａが第３のサイドパネル１５ｃと向かい合う。それとともに、第２の支持部５３の吸着面５３ａが天井パネル１４の周縁部と向かい合う。
【００６１】
この結果、ホルダー５１ａ，５１ｂの第１の支持部５２に固定された永久磁石５４が、磁力により天井外周部１８を構成する第２のサイドパネル１５ｂおよび第３のサイドパネル１５ｃに密着する。さらに、ホルダー５１ａ，５１ｂの第２の支持部５３に固定された永久磁石５４が、磁力により天井パネル１４に密着する。
【００６２】
したがって、人数検知装置２が永久磁石５４の磁力により器具本体１３に吸着され、人数検知装置２が乗りかご１の幅方向に沿うような姿勢で天井パネル１４の後部に設置される。
【００６３】
第２の実施形態によると、既存の乗りかご１を利用して人数検知装置２を設置する場合に、乗りかご１の側壁５ａ，５ｂ又は天板７に人数検知装置２を取り付けるための孔を開けるといった格別な後加工を施す必要はない。よって、乗りかご１の改造が不要となり、既存の乗りかご１の天井付近に人数検知装置２を簡単に設置することができる。
【００６４】
［第３の実施形態］
図１１および図１２は、第３の実施形態を開示している。
【００６５】
第３の実施形態は、人数検知装置２を乗りかご１の天板７に直付けする構成が第１の実施形態と相違している。それ以外の構成は、第１の実施形態と同様である。このため、第３の実施形態において、第１の実施形態と同一の構成部分には同一の参照符号を付して、その説明を省略する。
【００６６】
図１１に示すように、本実施形態では、乗りかご１の天板７がかご室８の天井を構成している。人数検知装置２のケース２６は、一対の吸盤６１を介して乗りかご１の天板７の下面に保持されている。吸盤６１は、接合部材の一例であって、ケース２６のトップカバー２６ａと天板７の下面との間に介在されている。
【００６７】
図１２に示すように、吸盤６１は、皿状の吸着部６２と、吸着部６２の中央から突出されたネック部６３とを有し、ネック部６３の付け根の箇所に周方向に連続する溝６４が形成されている。
【００６８】
本実施形態によると、吸盤６１は、トップカバー２６ａの長手方向に沿う両端部に取り付けられている。具体的には、吸盤６１は、そのネック部６３をトップカバー２６ａに設けた嵌合孔６５に嵌め込んで、溝６４を嵌合孔６５の開口縁に弾性的に引っ掛けることでトップカバー２６ａに保持されている。
【００６９】
吸盤６１が取り付けられた人数検知装置２のケース２６を乗りかご１の天板７に向けて押し上げると、吸盤６１の吸着部６２が天板７の内面に押し付けられて、ケース２６と天板７との間で押し潰される。これにより、吸着部６２の内部は気圧が低い状態に移行し、吸着部６２が天板７に張り付く。
【００７０】
したがって、人数検知装置２が吸盤６１の吸着力により天板７に直付けされ、人数検知装置２が乗りかご１の幅方向に沿うような姿勢で天板７の後部に設置される。
【００７１】
第３の実施形態によると、既存の乗りかご１を利用して人数検知装置２を設置する場合に、乗りかご１の側壁５ａ，５ｂ又は天板７に人数検知装置２を取り付けるための孔を開けるといった格別な後加工を施す必要はない。よって、乗りかご１の改造が不要となり、既存の乗りかご１の天井付近に人数検知装置２を簡単に設置することができる。
【００７２】
さらに、吸盤６１を用いたことで、天板７に対する人数検知装置２の着け外しを容易に行えるとともに、天板７の傷つきを防止できる利点もある。
【００７３】
第３の実施形態では、接合部材の一例として吸盤を用いたが、吸盤の代わりに例えば両面接着テープを用いてもよい。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１…乗りかご、２…人数検知装置、７，１４…天井（天板、天井パネル）、１８…天井外周部、２８ａ，２８ｂ，５１ａ，５１ｂ…ホルダー、２９…係合部、５２…第１の支持部、５３…第２の支持部、５４…永久磁石、６１…接合部材（吸盤）。
【図１】
2014076874.tif 000003
【図２】
2014076874.tif 000004
【図３】
2014076874.tif 000005
【図４】
2014076874.tif 000006
【図５】
2014076874.tif 000007
【図６】
2014076874.tif 000008
【図７】
2014076874.tif 000009
【図８】
2014076874.tif 000010
【図９】
2014076874.tif 000011
【図１０】
2014076874.tif 000012
【図１１】
2014076874.tif 000013
【図１２】
2014076874.tif 000014